(57)【特許請求の範囲】
【請求項１】
時計外装組立と、
この時計外装組立に内蔵されたモジュールと、
このモジュール上に固定されたパネルと、
前記モジュールの周部に固定された平面視リング形のリング部材であって、この部材の複数個所に上向きの係合凸部が形成されていて、この係合凸部が押え部を有している前記リング部材と、
前記パネルを覆って配設された表示板であって、この表示板の周部に前記押え部が上方から接する受け部を複数有しており、この受け部が前記リング部材の上面と前記押え部とで上下方向に挟まれて前記リング部材に取付けられている前記表示板と、
を具備し、
前記表示板の周面に開放された押え部収容溝が前記表示板の周部複数個所に形成され、これら押え部収容溝の一部を区画して前記受け部が設けられていて、前記押え部収容溝に前記押え部が納められており、
前記受け部が前記押え部収容溝の一部を区画する受け斜面を有していて、この受け斜面を前記押え部収容溝の幅方向に対向させて前記押え部収容溝が上方に向う程広く形成されており、前記押え部が、前記受け斜面に夫々上方から接した押え斜面を有して上方に向う程広く形成されていることを特徴とする時計。
【請求項２】
時計外装組立と、
この時計外装組立に内蔵されたモジュールと、
このモジュール上に固定されたパネルと、
前記モジュールの周部に固定された平面視リング形のリング部材であって、この部材の複数個所に上向きの係合凸部が形成されていて、この係合凸部が押え部を有している前記リング部材と、
前記パネルを覆って配設された表示板であって、この表示板の周部に前記押え部が上方から接する受け部を複数有しており、この受け部が前記リング部材の上面と前記押え部とで上下方向に挟まれて前記リング部材に取付けられている前記表示板と、
を具備し、
前記表示板の周面に開放された押え部収容溝が前記表示板の周部複数個所に形成され、これら押え部収容溝の一部を区画して前記受け部が設けられていて、前記押え部収容溝に前記押え部が納められており、
前記押え部収容溝の相対向した溝側面を有しているとともに、前記受け部が前記押え部収容溝の一部を区画する受け斜面を有していて、この受け斜面が前記押え部収容溝の開放端に向う程下がって傾けられた前記押え部収容溝の底面で形成されており、前記押え部がその先端側程互に近付くように傾けられた傾斜側面を有して先細り状に形成されていて、この押え部の先端部が前記受け斜面に上方から接しているとともに、前記傾斜側面が前記溝側面と前記表示板の周面とがなす角に夫々接していることを特徴とする時計。
【請求項３】
前記係合凸部がその根元を支点に前記リング部材及び表示板の径方向に弾性変形可能であることを特徴とする請求項１又は２に記載の時計。
【請求項４】
前記時計外装組立が備えた胴の内周面に接する接触突起が、前記係合凸部の上部に一体に設けられていることを特徴とする請求項３に記載の時計。
【請求項５】
前記表示板の周部上面に接してこの周部を覆う環形の見切りを更に備えているとともに、前記押え部の上端の高さが前記表示板の上面以下であることを特徴とする請求項１から４のうちのいずれか一項に記載の時計。
【請求項６】
前記パネルが光電変換により発電する太陽電池パネルであることを特徴とする請求項１から５のうちのいずれか一項に記載の時計。
【請求項７】
前記パネルが通電された状態で発光する発光パネルであることを特徴とする請求項１から５のうちのいずれか一項に記載の時計。
【発明の詳細な説明】
【技術分野】
【０００１】
本発明は、時刻その他の表示をさせるモジュールに、発電用又は発光用のパネルが取付けられるとともに、このパネルが表示板で覆われた腕時計等の時計に係り、特に、表示板を取付ける構成を改善した時計に関する。
【背景技術】
【０００２】
モジュール上に、ソーラーセル又はエレクトロルミネッセンスからなるパネルと、これを覆った透光性の表示板が配設された時計が、従来技術として知られている（例えば、特許文献１参照。）。
【０００３】
この従来技術で、樹脂成形体からなる補助リングは、その外周部上面の複数個所に夫々一対の円柱突部を有しているとともに、下面に突起を有している。この補助リングの突起をモジュールに係合させて、このモジュールに補助リングが固定されている。これとともに、表示板は、透明なアクリル樹脂やポリカーボネイト樹脂等の合成樹脂で薄板状に形成されていて、その周部に複数の切欠を有している。これらの切欠をモジュールの円柱突部に係合させることで、表示板が補助リングに固定されている。
【０００４】
詳しくは、一対の円柱突部は、相互間に隙間を有していて、その隙間に向かって弾性変形が可能に形成されている。表示板の切欠は、その内側に配置された一対の円柱突部を互に近付く方向に弾性変形させてこれらに係合されている。それにより、表示板をその横ずれや回転が防止された状態に固定することが可能である。
【先行技術文献】
【特許文献】
【０００５】
【特許文献１】特許第４３９８５５５号公報（段落0016-0044、図１−図６）
【発明の概要】
【発明が解決しようとする課題】
【０００６】
従来技術に係る時計では、円柱突部の直径はその根元から先端まで変化がなく、表示板の補助リングに対する保持は、円柱突部から切欠の縁に水平方向(横方向)作用する係合力のみに依存されている。
【０００７】
こうした係合力によって、比較的強度が低い表示板には、その複数の切欠を起点とする反りが発生し易く、それにより、表示板に歪みが発生することがあった。こうした歪みの発生は時計の品質を低下させるので、その改善が望まれている。
【０００８】
又、補助リングとこれに既述のように取付けられた表示板を含むアセンブリは、このアセンブリの組立て後、時計外装組立に組み込まれるまでに、この組み込みに向けて移動されるので、その際に振動等を受ける。そのため、既述のように表示板が円柱突部との水平方向の係合力のみで保持されている従来の構成では、前記振動等を原因として表示板が上側に移動して浮いた状態になることがあるとともに、それが更に進行して表示板が外れることもある。
【０００９】
以上のように従来の時計は、表示板が歪んで取付けられ易いとともに、補助リングとともにこれに取付けられた表示板が時計外装組立に組み込まれるまでの間に、リング部材に対して表示板が浮くことや外れることがある、という課題がある。
【課題を解決するための手段】
【００１０】
前記課題を解決するために、本発明は、時計外装組立と、この時計外装組立に内蔵されたモジュールと、このモジュール上に固定されたパネルと、前記モジュールの周部に固定された平面視リング形のリング部材であって、この部材の複数個所に上向きの係合凸部が形成されていて、この係合凸部が押え部を有している前記リング部材と、前記パネルを覆って配設された表示板であって、この表示板の周部に前記押え部が上方から接する受け部を複数有しており、この受け部が前記リング部材の上面と前記押え部とで上下方向に挟まれて前記リング部材に取付けられている前記表示板と、を具備することを特徴としている。
【００１１】
本発明で、モジュールとは、アナログ式の時計として実施する場合は、複数の時刻表示針を駆動するムーブメントを指しており、デジタル式の時計として実施する場合は、時刻等を示すディスプレイを駆動する電子回路を指している。本発明で、パネルとは、太陽電池パネル又は発光パネル等を指している。
【００１２】
本発明で、表示板とは、アナログ式の時計として実施する場合、透光性の文字板を指しており、デジタル式の時計として実施する場合、時刻等を示すディスプレイの所望の部位に対向する窓を有し、この窓以外の部位がディスプレイを覆うカバー板（なお、この板は見切り板と通称されている。）を指している。
【００１３】
本発明で、係合凸部の押え部は、後述するように表示板に形成された押え部収容溝の一部を区画した受け部に上方から接することが好ましい。しかし、これ以外に、表示板の周部上面の一部を受け部として用いてこの受け部に押え部を上方から接触させることも可能である。
【００１４】
本発明では、後述のように押え部と受け部との接触のみで、表示板がその上方向及び周方向に動かないように取付けられることが好ましい。しかし、押え部と受け部との接触が表示板を上方向に動かないように保持する浮き止め手段を担い、これとは別に、表示板を周方向に動かないように保持する回り止め手段を有していても良い。
【００１５】
したがって、例えば、表示板の周部に形成された押え部収容溝の縁に弾性変形された係合凸部の側面を接触させて、表示板を周方向に動かないように保持する回り止め手段を設けるとともに、係合凸部の上部に形成された押え部で、押え部収容溝の周りの表示板上面、又は押え部収容溝の一部をなして形成された斜面や段差などを有する受け部を上方から押えて、表示板が上方向に動かないように保持する浮き止め手段を設けて実施することも可能である。更に、表示板の周方向に前記回り止め手段から離れた周部位置に設けた受け部に、係合凸部の押え部を上方から接触させて、表示板を上方向に動かないように保持する浮き止め手段を設けて実施することも可能である。
【００１６】
本発明では、リング部材の係合凸部が押え部を有していて、この押え部が表示板の受け部に上方から接触して、表示板がリング部材と係合凸部で上下方向に挟まれている。このため、表示板が取付けられたリング部材にこれを時計外装組立に組み込むまでの間に加わる振動等を原因として、表示板がリング部材に対してその上側に移動して浮くことや外れることを、リング部材の上面との間に表示板の周部を上下方向に挟んだ係合凸部の押え部によって抑制することが可能である。
【００１７】
更に、本発明では、既述のように係合凸部の押え部を表示板の受け部に上方から接触させて、表示板の浮き止めをしているため、係合凸部によって表示板の押え部収容溝の周りに過大な応力が生じ難い。したがって、押え部収容溝を起点として表示板がうねるように歪んでリング部材に取付けられることを抑制することが可能である。
【００１８】
本発明の好ましい形態では、前記表示板の周面に開放された押え部収容溝が前記表示板の周部複数個所に形成され、これら押え部収容溝の一部を区画して前記受け部が設けられていて、前記押え部収容溝に前記押え部が納められていることを特徴としている。この好ましい形態で、受け部は、段差であってもよく、又、上面が斜面からなる受け部であっても差し支えない。
【００１９】
この好ましい形態の発明では、表示板周部の押え部収容溝とこれに収められた係合凸部の押え部とで、リング部材の周方向に表示板を位置決めすることが可能である、という利点を更に有する。
【００２０】
本発明の好ましい形態では、前記受け部が前記押え部収容溝の一部を区画する受け斜面を有していて、この受け斜面を前記押え部収容溝の幅方向に対向させて前記押え部収容溝が上方に向う程広く形成されており、前記押え部が、前記受け斜面に夫々上方から接した押え斜面を有して上方に向う程広く形成されていることを特徴としている。
【００２１】
この好ましい形態の発明では、押え部収容溝の幅方向に対向した受け斜面を有する一対の受け部間に、これらの受け斜面に接する一対の押え斜面を有した係合凸部の押え部が、楔状に下向きに入り込んだ状態で、前記一対の受け部が係合凸部の押え部とリング部材の上面との間に上下方向に挟まれている。このため、表示板を上方向に動かないように保持することができる。これに加えて、係合凸部の押え部をストッパとして表示板を周方向に動かないように保持することができる。したがって、この好ましい形態の発明では、係合凸部と受け部とで表示板の浮き止めと回り止めを担うことができる、という利点を更に有する。
【００２２】
本発明の好ましい形態では、前記押え部収容溝の相対向した溝側面を有しているとともに、前記受け部が前記押え部収容溝の一部を区画する受け斜面を有していて、この受け斜面が前記押え部収容溝の開放端に向う程下がって傾けられた前記押え部収容溝の底面で形成されており、前記押え部がその先端側程互に近付くように傾けられた傾斜側面を有して先細り状に形成されていて、この押え部の先端部が前記受け斜面に上方から接しているとともに、前記傾斜側面が前記溝側面と前記表示板の周面とがなす角に夫々接していることを特徴としている。
【００２３】
この好ましい発明で、押え部収容溝に納められた係合凸部の押え部は、その先端部を受け部の受け斜面に上方から接して、表示板をリング部材の上面との間に上下方向に挟んでいる。これにより、表示板を上方向に動かないように保持することができる。これに加えて、先細り状に形成された押え部の幅方向両側の傾斜側面が、押え部収容溝の溝側面と表示板の周面とがなす角に夫々接している。これにより、係合凸部の押え部をストッパとして表示板を周方向に動かないように保持することができる。したがって、この好ましい形態の発明では、係合凸部と受け部とで表示板の浮き止めと回り止めを担うことができる。
【００２４】
本発明の好ましい形態では、前記係合凸部がその根元を支点に前記リング部材及び表示板の径方向に弾性変形可能であることを特徴としている。
この好ましい形態の発明では、リング部材に表示板を取付ける際、押え部が押え部収容溝から外れる方向に係合凸部がその根元を支点に弾性変形できる。それにより、表示板の取付け作業性をより向上することが可能である、という利点を更に有する。
【００２５】
本発明の好ましい形態では、前記時計外装組立が備えた胴の内周面に接する接触突起が、前記係合凸部の上部に一体に設けられていることを特徴としている。
この好ましい形態の発明では、モジュール、表示板、及びリング部材等を有したアセンブリが時計外装組立に組み込まれた状態で、表示板の接触突起が胴の内周面に接しているので、係合凸部の押え部は押え部収容溝の内側に向けて押された状態にある。これにより、押え部と表示板の受け部との接触が強められて、時計外装組立に対する前記アセンブリの保持性能を向上することが可能である、という利点を更に有する。
【００２６】
本発明の好ましい形態では、前記表示板の周部上面に接してこの周部を覆う環形の見切りを更に備えているとともに、前記押え部の上端の高さが前記表示板の上面以下であることを特徴としている。この好ましい形態の発明で、見切りは、時計外装組立が備える胴に一体に形成されていてもよく、又は、胴とは別体でかつ胴の内面に接して配設される部品であっても差し支えない。
この好ましい形態の発明では、押え部が表示板の上面より突出しないように押え部収容溝に収められているので、見切りと表示板の周部上面との間に押え部を原因とする隙間が形成されることがなく、見切りと表示板の周部上面とを接触させることが可能である、という利点を更に有する。
【００２７】
本発明の好ましい形態では、前記パネルが光電変換により発電する太陽電池パネルであることを特徴としている。
この好ましい形態の発明では、例えば電力で駆動されるモジュール等に供給される電力を、表示板を透過した光を受ける太陽電池パネルで発電することができる、という利点を更に有する。
【００２８】
本発明の好ましい形態では、前記パネルが通電された状態で発光する発光パネルであることを特徴としている。
この好ましい形態の発明では、発光パネルがそれへの通電で発光して、表示板に対するバックライト照明ができるので、時刻等の表示の視認性をより向上できる、という利点を更に有する。
【発明の効果】
【００２９】
本発明の時計によれば、表示板が歪んで取付けられることを抑制可能であるとともに、リング部材に取付けられた表示板が時計外装組立に組み込まれるまでの間に、リング部材に対して表示板が浮くことや外れることを抑制可能である、という効果を期待できる。
【図面の簡単な説明】
【００３０】
【図１】本発明の第１実施形態に係る腕時計の一部を示す断面図である。
【図２】図１の腕時計が備えたムーブメント上に配設された太陽電池パネルと文字板との関係を示した略平面図である。
【図３】図２中Ｆ３部を拡大して示す平面図である。
【図４】図２中矢印Ｆ４線方向から見たＦ３部の側面図である。
【図５】図４中Ｆ５−Ｆ５線に沿って示す断面図である。
【図６】図１の腕時計が備えたリング部材と文字板の各一部を分離した状態で示す平面図である。
【図７】図１の腕時計が備えた文字板を示す略平面図である。
【図８】本発明の第２実施形態に係る腕時計の一部を示す断面図である。
【図９】図８の腕時計が備えたムーブメント上に配設された太陽電池パネルと文字板との関係を示した略平面図である。
【図１０】図９中Ｆ１０部を拡大して示す平面図である。
【図１１】図９中矢印Ｆ１１線方向から見たＦ３部の側面図である。
【図１２】図１１中Ｆ１２−Ｆ１２線に沿って示す断面図である。
【図１３】図８の腕時計が備えたリング部材と文字板の各一部を分離した状態で示す平面図である。
【図１４】図８の腕時計が備えた文字板を示す略平面図である。
【発明を実施するための形態】
【００３１】
以下、本発明の第１の実施の形態について、図１〜図７を参照して詳細に説明する。
図１中符号１は、時計例えば携帯時計具体的には腕時計を示している。この腕時計１は、時計外装組立２と、見切り９と、モジュール例えばムーブメント１１と、パネル例えば太陽電池パネル１５と、リング部材２１と、表示板例えば文字板３１を具備している。
【００３２】
時計外装組立２は、胴４及び裏蓋５を有した金属製又は合成樹脂製の外装部材６と、カバーガラス７を備えている。裏蓋５は胴４にねじ込まれて連結されている。カバーガラス７は、胴４に形成されたガラス支持部４ａの内側に液密に装着されている。
【００３３】
見切り９は、文字板３１の周部上面を覆うために、この周部とカバーガラス７の周部との間に設けられている。図１に示された見切り９は、胴４の上部内周に一体に形成されたものであるが、胴４と別体に成形されたリング形の部材であっても良い。見切り９はその開口径が下側ほど狭くなるように形成された内周斜面９ａを有し、この内周斜面９ａはカバーガラス７の周部裏面に対向している。
【００３４】
ムーブメント１１は、後述の太陽電池パネル１５が発電する電力で駆動されるものであって、前記電力を蓄積するための二次電池或いはキャパシタ等（図示しない）を備えている。ムーブメント１１は平面視円形である。このムーブメント１１は時計外装組立２内に後述のリング部材２１及び文字板３１等とともに組込まれている。
【００３５】
このムーブメント１１は係合部１２を有している。係合部１２は、ムーブメント１１の周部でかつ上面１１ａ側に設けられて、例えばムーブメント１１の周方向に連続する環状凸部の上端部位で形成されている。図１に示すように係合部１２は、ムーブメント１１の上面１１ａに対してムーブメント１１の裏側（下側）方向に若干後退している。
【００３６】
太陽電池パネル１５は、図示しない基板に、光電変換により発電する発電素子としてソーラーセル（図示しない）が搭載されたパネルである。ソーラーセルは、結晶系であっても、アモルファス系であっても差し支えない。この太陽電池パネル１５は、ムーブメント１１の直径よりやや小径であり、接着部材１６を用いてムーブメント１１の上面１１ａに固定されている。接着部材１６として両面が粘着性を有する両面接着テープを好適に使用できる。
【００３７】
リング部材２１は、合成樹脂例えばジュラコンの一体成形品である。リング部材２１は、平面視リング形をなしていて、その内径は太陽電池パネル１５の直径よりやや大きく、かつ、外径はムーブメント１１の直径より大きい。リング部材２１はその内面及び裏面（下面）に開放された係合溝２２を有している。この係合溝２２はリング部材２１の周方向に連続して環状に形成されている。
【００３８】
更に、リング部材２１は、その上面２１ａより下がった肩部２１ｂ（図５参照）を有している。肩部２１ｂは周方向にリング形に連続して設けられている。リング部材２１は、裏面複数個所にフック部２８（図１に一個のみ図示）を有しているとともに、その肩部２１ｂに凹み２３及びこれと同数の係合凸部２５を複数個所に有している。
【００３９】
凹み２３は図２に示すようにリング部材２１の外周部の２箇所に例えば１８０度離れて設けられている。尚、凹み２３は１２０度ごと三箇所に設けてもよく、或いは９０度ごと四箇所に設けてもよい。図４〜図６に示すように各凹み２３は、肩部２１ｂの上面からなるリング部材２１の上面２１ａ及びリング部材２１の外周面に夫々開放されている。
【００４０】
係合凸部２５は、その根元部２５ａを凹み２３で囲まれて上向きに突出されている。そのため、係合凸部２５の根元部２５ａの大部分がリング部材２１の上面２１ａより低い肩部２１ｂの上面より更に下側に位置されていて、この根元部２５ａは凹み２３の深さに応じて長く形成されている。係合凸部２５はその根元部２５ａの下端、つまり、根元を支点にリング部材２１及び後述の文字板３３の径方向に弾性変形可能である。
【００４１】
尚、凹み２３は、図４等に示すように係合凸部２５の根元部２５ａの両側でかつリング部材２１の外周面にも開放されている。この開放された一対の凹み部位は、後述の文字板３１をリング部材２１から外す際に、文字板３１の裏側に挿入されるピンセットなどの工具が挿入される部位として利用可能である。
【００４２】
係合凸部２５は押え部２５ｂを有している。押え部２５ｂは、根元部２５ａの上側に一体に連続して設けられていて、係合凸部２５の上部をなしている。この押え部２５ｂの上端面の高さはリング部材２１の上面２１ａより高い。更に、リング部材２１の径方向に沿う押え部２５ｂの厚みは、この押え部２５ａを除いた係合凸部２５の他の部位より厚く形成されている（図５参照）。尚、図４及び図６中符号２１ｃは、押え部２５ｂをリング部材２１に一体に成形するための型抜き穴を示している。
【００４３】
図４及び図６に示すように押え部２５ｂはその幅方向両側に押え斜面２６を有している。これら押え斜面２６は、相互間の距離、つまり、押え部２５ｂの幅が上方に向う程次第に広くなるように傾斜されている。
【００４４】
図３〜図６に示すように係合凸部２５の上部にリング部材２１の外周面から突出する接触突起２７が一体に設けられている。この接触突起２７は、例えば上下方向に延びるビードで形成されているが、単なる突起、又は、リング部材２１の周方向に延びるビードで形成されていても差し支えない。
【００４５】
図１に示すようにリング部材２１は、そのフック部２８をムーブメント１１の前記環状凸部の下面１３に引掛けるとともに、係合溝２２を係合部１２の上面に係合することによって、ムーブメント１１に取付けられている。以上の取付けによって、図２に例示したように１８０度離れた凹み２３及び係合凸部２５が、１２時−６時の方向に配置されるとともに、各係合凸部２５を除いたリング部材２１の上面２１ａが、太陽電池パネル１５の上面よりやや高く位置されるようになっている(図１参照)。なお、一対の係合凸部２５の配置は、凹み２３と同様に１２時−６時の方向に制約されず、９時−３時の方向、或いはその他の方向に配置することも可能である。
【００４６】
文字板３１は、透明なアクリル樹脂やポリカーボネイト樹脂等の透光性合成樹脂で薄板状に成形されて、弾性変形が可能である。文字板３１は略円形でリング部材２１の外径よりやや小径である。図４及び図５に示すように文字板３１の厚みは、リング部材２１の上下方向に沿う押え部２５ｂの高さ寸法より厚い。この文字板３１には、図示しない目盛、数字、模様等の表示が設けられている。
【００４７】
図６及び図７等に示すように文字板３１はその周部に複数の押え部収容溝３２と受け部３３を有している。各押え部収容溝３２は、文字板３１をその周面から切欠くように形成されていて、文字板３１の周面３１ａに開放されている。各押え部収容溝３２は、係合凸部２５と同数でかつこれら係合凸部２５の配置に適合して設けられている。したがって、図７に示すように二つの押え部収容溝３２が文字板３１の周方向に１８０度離れて設けられている。
【００４８】
文字板３１の受け部３３は押え部収容溝３２の一部を区画する受け斜面３３ａを有している。図６に示すように押え部収容溝３２は、その幅方向に受け斜面３３ａを対向させて上方に向かう程次第に広く形成されている。
【００４９】
文字板３１は太陽電池パネル１５を覆ってリング部材２１に取付けられている。この取付けは、ムーブメント１１に装着されているリング部材２１に対して、係合凸部２５と文字板３１の押え部収容溝３２を位置合わせした状態で、リング部材２１の上方から文字板３１を下方に押圧して、押え部収容溝３２を係合凸部２５の押え部２５ｂに嵌合させることで実施できる。又は、文字板３１を傾けて、一方の係合凸部２５の押え部２５ｂに文字板３１の一方の押え部収容溝３２を嵌合させた後、文字板３１を撓ませるとともに他方の係合凸部２５に対して文字板３１を傾けて、この他方の係合凸部２５の押え部２５ｂに文字板３１の他方の押え部収容溝３２を嵌合させることにより実施できる。
【００５０】
こうしてリング部材２１に文字板３１が取付けられる際、係合凸部２５は、その押え部２５ｂが押え部収容溝３２から外れる方向に、係合凸部２５の根元を支点に弾性変形することが可能である。それにより、受け部３３が上方から押え部２５ｂで押えられる位置に押え部収容溝３２を配置する作業が容易となるに伴い、文字板３１の取付け作業性をより向上することが可能である。
【００５１】
又、係合凸部２５の根元部２５ａは凹み２３で囲まれているので、係合凸部２５は、長く確保されていて、その弾性変形がより容易である。このため、係合凸部２５の弾性変形に伴い、その根元にクラックが発生することを抑制可能である。
【００５２】
リング部材２１上への文字板３１の取付けが完了した状態では、図５に示すように押え部収容溝３２に押え部２５ｂの大部分が納められている。このように係合凸部２５の押え部２５ｂが、文字板３１の周部に形成された各押え部収容溝３２に夫々収められることで、リング部材２１の周方向に文字板３１を位置決めすることが可能である。
【００５３】
これとともに、図４に示すようにリング部材２１に取付けられた文字板３１の受け部３３の下面はリング部材２１の上面２１ａに接し、かつ、受け部３３の受け斜面３３ａは押え部２５ｂの押え斜面２６に夫々上方から接している。
【００５４】
即ち、押え部収容溝３２の幅方向に対向した受け斜面３３ａを有する一対の受け部３３間に、これらの受け斜面３３ａに接する一対の押え斜面２６を有した係合凸部２５の押え部２５ｂが、上方向から楔状に入り込んだ状態で、一対の受け部３３が係合凸部２５の押え部２５ｂとリング部材２１の上面２１ａとの間に上下方向に挟まれている。言い換えれば、先細り状に形成されている一対の受け部３３が、係合凸部２５をその幅方向から挟むように押え部２５ｂとリング部材２１の上面２１ａとの間に横方向から楔状に入り込んだ状態で、一対の受け部３３が係合凸部２５の押え部２５ｂとリング部材２１の上面２１ａとの間に上下方向に挟まれている。又、押え部２５ｂの上端は文字板３１の上面（表面）より下がっている。
【００５５】
以上のように一対の受け部３３間に楔状に入り込んだ押え部２５とリング部材２１の上面２１ａとの間に、受け部２５ｂが上下方向に挟まれているため、文字板３１を上方向に動かないように保持することができる。これに加えて、係合凸部２５の押え部２５ｂをストッパとして文字板３１を周方向に動かないように保持することができる。
【００５６】
そして、係合凸部２５と受け部３３とは文字板３１の浮き止めと回り止めを担っているので、これらを別々に設ける構成に比較して構成が簡単である。
【００５７】
更に、文字板３１が取付けられたリング部材２１にこれを時計外装組立２に組み込むまでの間に加わる振動等を原因として、文字板３１がリング部材２１に対してその上側に移動して浮くことや外れることを、リング部材２１の上面２１ａとの間に文字板３１の周部を上下方向に挟んだ係合凸部２５の押え部２５ａによって抑制可能である。しかも、リング部材２１に取付けられた文字板３１がその押え部収容溝３２を結ぶ径方向に移動しようとしても、その動きを、係合凸部２５をストッパとして抑制可能である。
【００５８】
既述のように係合凸部２５の押え部２５ｂを文字板３１の受け部３３に上方から接触させて、リング部材２１に対する文字板３１の浮き止めをしているので、係合凸部２５によって押え部収容溝３２の周りに過大な応力が生じ難い。それに伴い、文字板３１が押え部収容溝３２を起点としてうねるように歪んでリング部材２１に取付けられることを抑制可能である。したがって、文字板３１がうねった状態となった場合の不具合が生じないようにできる。つまり、文字板３１の各部での光の反射が異なって、文字板３１がうねった状態が容易に視認可能となり、腕時計１の体裁が損なわれる、という不具合が生じないように文字板３１を取付けることができる。
【００５９】
又、ムーブメント１１と、これに接着された太陽電池パネル１５と、ムーブメント１１に取付けられたリング部材２１と、このリング部材２１に取付けられた文字板３１などを含むアセンブリは、裏蓋５が取付けられていない胴４内に、裏蓋５で閉じられる開口を通して組み込まれる。この場合、係合凸部２５に突設された接触突起２７が図１に示すように胴４の内周面に接触されるので、前記アセンブリは軽圧入されて胴４の内部に組み込まれる。
【００６０】
前記アセンブリにおいて、係合凸部２５の押え部２６ｂの上端が文字板３１の周部上面より突出しないようにこの上面より下がって位置されているので、見切り９を度当たりとして、この見切り９の下面に文字板３１の周部上面が接して胴４内への前記アセンブリの組込みが完了する。そのため、見切り９とこれに上方から覆われた文字板３１の周部上面との間に、押え部２５ｂを原因とする隙間が形成されることがない。したがって、腕時計１の体裁を低下させることを抑制可能である。
【００６１】
更に、前記アセンブリの組み込みにより、既述の係合凸部２５に突設された接触突起２７が胴４の内周面に密接されて、係合凸部２５の押え部２５ｂが押え部収容溝３２の内側に向けて押された状態となる。これにより、弾性変形が可能な押え部２５ｂと文字板３１の受け部３３との接触が強められるとともに、時計外装組立２の径方向に前記アセンブリをがたつかないように保持することが可能である。
【００６２】
以上のように取付けられた文字板３１は、図１に示したようにカバーガラス７の裏面に対向されている。文字板３１は透光性を有しているので、カバーガラス７及び文字板３１を透過した自然光又は人工光が太陽電池パネル１５に入射されるに伴い、この太陽電池パネル１５のソーラーセルは光電変換して発電する。したがって、この腕時計１は、以上のように発電された電力を二次電池やキャパシタに蓄えて、その電力でムーブメント１１を駆動することができる。
【００６３】
図８〜図１４は本発明の第２の実施の形態を示している。この第２実施形態に係る腕時計は、以下説明する構成以外は第１実施形態と同じである。そのため、第１実施形態と同じ構成については第１実施形態と同じ符号を付して、その説明を省略する。
【００６４】
第２実施形態では、図１０、図１１、及び図１３に示すように係合凸部２５の押え部２５ａが、その先端側程互に近付くように傾けられた傾斜側面２９を有していて、先細り状に形成されている。つまり、抑え部２５はその先端側程幅が狭くなっている。更に、図１２及び図１３に示すように係合凸部２５は、押え部２５ｂの下側に連続して形成された溝部２５ｃを有している。
【００６５】
図９に示すように文字板３１の周部複数個所例えば周方向に１８０度隔たった位置に設けられた押え部収容溝３２は、図１３、及び図１４に示すように相対向し、かつ、好ましくは平行な溝側面３２ａと、押え部収容溝３２の底面をなした受け斜面３３ａで区画されていて、文字板３１の上面及び周面にわたって開放されている。受け部３３は受け斜面３３ａを有していて、この受け斜面３３ａは押え部収容溝３２の開放端に向うほど下がって傾けられている。
【００６６】
押え部収容溝３２に納められた押え部２５ｂの先端部は、図７及び図１２に示すように押え部収容溝３２の底面、つまり、受け部３３の受け斜面３３ａに上方から接している。それにより、受け部３３が、押え部２５ｂとリング部材２１の上面２１ａとで上下方向に挟まれているので、文字板３１を上下方向に動かないように保持することができる。これとともに、上方から押えられた受け部３３の薄肉となった端部は、係合凸部２５の溝部２５ｃに入り込んで係合凸部２５の根元部２５ａで下側から支持されている。
【００６７】
更に、押え部２５ｂの傾斜側面２９は、図１０に示すように溝側面３２ａと文字板３１の周面とがなす角３１ｂに夫々接している。これにより、係合凸部２５の押え部２５ｂをストッパとして文字板３１を周方向に動かないように保持することができる。
【００６８】
したがって、第２実施形態においても、係合凸部２５と受け部３３とで文字板３１の浮き止めと回り止めを担うことができるので、これらを別々に設ける構成に比較して構成が簡単である。
【００６９】
以上説明した以外の構成及び作用は第１実施形態と同じである。そのため、第２実施形態では、第１実施形態で既に説明したのと同じ理由によって、第１実施形態と同じ作用を得て、本発明の課題を解決できる。即ち、文字板３３が歪んで取付けられることを抑制可能であるとともに、リング部材２１に取付けられた文字板３１が、時計外装組立２に組み込まれるまでの間に、文字板３１が浮くことや外れることを抑制可能な腕時計１を提供することが可能である。
【００７０】
なお、本発明は前記各実施形態には制約されない。例えば、前記各実施形態において太陽電池パネルに代えて発光パネルを用いることが可能である。発光パネルには、例えばエレクトロルミネッセンスからなるパネルを好適に使用でき、この発光パネルは、時計外装組立に内蔵された二次電池等から供給される電力で発光される。こうして実施する場合には、発光パネルがそれへの通電で発光して、この発光パネルで表示板に対するバックライト照明ができるため、時刻等の表示の視認性をより向上できる。又、本発明は、腕時計以外に懐中時計等にも適用できる。
【符号の説明】
【００７１】
１…腕時計（時計）
２…時計外装組立
４…胴
１１…ムーブメント（モジュール）
１５…太陽電池パネル（パネル）
２１…リング部材
２５…係合凸部
２５ｂ…押え部
２６…押え側面
２７…接触突起
２９…傾斜側面
３１…文字板（表示板）
３１ａ…文字板（表示板）の周面
３１ｂ…角
３２…押え部収容溝
３２ａ…溝側面
３３…受け部
３３ａ…受け斜面
【図１】
0005782274.tif 000002
【図２】
0005782274.tif 000003
【図３】
0005782274.tif 000004
【図４】
0005782274.tif 000005
【図５】
0005782274.tif 000006
【図６】
0005782274.tif 000007
【図７】
0005782274.tif 000008
【図８】
0005782274.tif 000009
【図９】
0005782274.tif 000010
【図１０】
0005782274.tif 000011
【図１１】
0005782274.tif 000012
【図１２】
0005782274.tif 000013
【図１３】
0005782274.tif 000014
【図１４】
0005782274.tif 000015